【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
一対の樹脂管を直線形および屈曲形の溶着管継手により接続する時に樹脂管を互いに固定する溶着管継手用クランプ装置であって、
支軸を介して開閉自在に支持された一対のクランプアームを樹脂管にそれぞれ外嵌させて挟圧可能な挟圧具を有する２組の把持部と、これら把持部を樹脂管の軸心に直交する回動軸心周りに折り曲げ固定可能に連結する連結部とを具備し、
前記一対のクランプアームに、樹脂管を抱囲するクランプ部を設けるとともに、これらクランプ部の遊端側に所定幅の切り欠き部を形成し、
前記連結部の回動軸心を、樹脂管の軸心から折り曲げられる閉鎖側に変位距離だけ離間する位置に配置した
ことを特徴とする溶着管継手用クランプ装置。
【請求項２】
連結部は、２組の把持部の一対のクランプアームのうちの一方にそれぞれ連結された連結ロッドと、これら連結ロッドを回動軸心周りに折り曲げ固定可能に連結する角度調整具とを有し、
当該角度調整具により前記連結ロッドを介して、各把持部のクランプアームの開閉方向が互いに平行となる姿勢として直線形の溶着管継手に接続された樹脂管をそれぞれ把持し、各把持部のクランプアームの開閉方向が互いに傾斜する姿勢として屈曲形の溶着管継手に接続された樹脂管をそれぞれ把持するように構成された
ことを特徴とする請求項１記載の溶着管継手用クランプ装置。
【請求項３】
連結部は、２組の把持部の支軸にそれぞれ連結された連結ロッドと、これら連結ロッドを回動軸心周りに折り曲げ固定可能に連結する角度調整具とを有し、
当該角度調整具により前記連結ロッドを介して、各把持部のクランプアームの開閉方向が互いに平行となる姿勢として直線形の溶着管継手に接続された樹脂管をそれぞれ把持し、各把持部のクランプアームの開閉方向が互いに傾斜する姿勢として屈曲形の溶着管継手に接続された樹脂管をそれぞれ把持するように構成された
ことを特徴とする請求項１記載の溶着管継手用クランプ装置。
【請求項４】
２組の把持部のクランプアームに、樹脂管を抱囲するクランプ部をそれぞれ設けるとともに、これらクランプ部の遊端側に所定幅の切り欠き部をそれぞれ形成し、
当該切り欠き部の幅を、樹脂管の外径の０．５倍以上で０．９５倍以下とした
ことを特徴とする請求項１乃至３のいずれかに記載の溶着管継手用クランプ装置。
【請求項５】
一対のクランプアームの内接面に、小口径の樹脂管を把持する小径用アタッチメントを設けた
ことを特徴とする請求項１乃至４のいずれかに記載の溶着管継手用クランプ装置。
【手続補正２】
【補正対象書類名】明細書
【補正対象項目名】０００６
【補正方法】変更
【補正の内容】
【０００６】
請求項１記載の発明は、一対の樹脂管を直線形および屈曲形の溶着管継手により接続する時に樹脂管を互いに固定する溶着管継手用クランプ装置であって、支軸を介して開閉自在に支持された一対のクランプアームを樹脂管にそれぞれ外嵌させて挟圧可能な挟圧具を有する２組の把持部と、これら把持部を樹脂管の軸心に直交する回動軸心周りに折り曲げ固定可能に連結する連結部とを具備し、前記一対のクランプアームに、樹脂管を抱囲するクランプ部を設けるとともに、これらクランプ部の遊端側に所定幅の切り欠き部を形成し、前記連結部の回動軸心を、樹脂管の軸心から折り曲げられる閉鎖側に変位距離だけ離間する位置に配置したものである。
【手続補正３】
【補正対象書類名】明細書
【補正対象項目名】０００７
【補正方法】変更
【補正の内容】
【０００７】
請求項２記載の発明は、請求項１記載の構成において、連結部は、２組の把持部の一対のクランプアームのうちの一方にそれぞれ連結された連結ロッドと、これら連結ロッドを回動軸心周りに折り曲げ固定可能に連結する角度調整具とを有し、当該角度調整具により前記連結ロッドを介して、各把持部のクランプアームの開閉方向が互いに平行となる姿勢として直線形の溶着管継手に接続された樹脂管をそれぞれ把持し、各把持部のクランプアームの開閉方向が互いに傾斜する姿勢として屈曲形の溶着管継手に接続された樹脂管をそれぞれ把持するように構成されたものである。
請求項３記載の発明は、請求項１記載の構成において、連結部は、２組の把持部の支軸にそれぞれ連結された連結ロッドと、これら連結ロッドを回動軸心周りに折り曲げ固定可能に連結する角度調整具とを有し、当該角度調整具により前記連結ロッドを介して、各把持部のクランプアームの開閉方向が互いに平行となる姿勢として直線形の溶着管継手に接続された樹脂管をそれぞれ把持し、各把持部のクランプアームの開閉方向が互いに傾斜する姿勢として屈曲形の溶着管継手に接続された樹脂管をそれぞれ把持するように構成されたものである。
【手続補正４】
【補正対象書類名】明細書
【補正対象項目名】０００８
【補正方法】変更
【補正の内容】
【０００８】
請求項４記載の発明は、請求項１乃至３のいずれかに記載の構成において、２組の把持部のクランプアームに、樹脂管を抱囲するクランプ部をそれぞれ設けるとともに、これらクランプ部の遊端側に所定幅の切り欠き部をそれぞれ形成し、当該切り欠き部の幅を、樹脂管の外径の０．５倍以上で０．９５倍以下としたものである。
請求項５記載の発明は、請求項１乃至４のいずれかに記載の構成において、一対のクランプアームの内接面に、小口径の樹脂管を把持する小径用アタッチメントを設けたものである。
【手続補正５】
【補正対象書類名】明細書
【補正対象項目名】０００９
【補正方法】変更
【補正の内容】
【０００９】
請求項１記載の発明によれば、たとえば開削施工部内などで、樹脂管を溶着管継手により接続する時に、挟圧具を緩めクランプアームを開放して切り欠き部を広げ、両把持部を上方から樹脂管に向かって下ろすことにより、開放された切り欠き部を介してクランプアームを樹脂管に迅速かつ容易に外嵌させることができ、さらに挟圧具を締め付けて樹脂管をそれぞれ挟圧把持することができる。またクランプ部の遊端側に設けられた切り欠き部により、クランプアームの開放角が小さくても、切り欠き部を樹脂管が嵌合可能な幅に迅速に広げることができるとともに、挟圧具によるクランプアームの締め付け操作を迅速に行うことができ、挟圧具の操作量と操作時間を削減して樹脂管の接続作業を効率よく行うことができる。さらに、角度調整具の回動軸心を樹脂管の軸心から折り曲げられる閉鎖側に変位距離だけ変位させたので、連結部の回動軸心を中心として連結部を回動させることにより、屈曲形の溶着管継手の樹脂管をそれぞれ把持するために、２組の把持部のクランプアームが開閉方向が互いに平行となる姿勢から、互いに傾斜する姿勢にクランプアームを傾動させることにより、屈曲形の溶着管継手の樹脂管を把持するために、樹脂管の把持位置間の距離を長くすることができる。
【手続補正６】
【補正対象書類名】明細書
【補正対象項目名】００１０
【補正方法】変更
【補正の内容】
【００１０】
請求項２記載の発明によれば、直線形の溶着管継手の使用時には、角度調整具の回動軸心を中心に連結ロッドを介してクランプアームが互いに接近し、かつクランプアームの開閉方向が互いに平行となる姿勢で配置することにより、直線形の溶着管継手に接続される樹脂管をそれぞれ良好に把持できる。また屈曲形の溶着管継手の使用時には、角度調整具を中心に連結ロッドを介してクランプアームが互いに離間され、かつクランプアームの開閉方向が互いに傾斜する姿勢で配置することにより、屈曲形の溶着管継手に接続される樹脂管をそれぞれ良好に把持することができる。
請求項３記載の発明によれば、直線形の溶着管継手の使用時には、角度調整具の回動軸心を中心に連結ロッドを介してクランプアームが互いに接近し、かつクランプアームの開閉方向が互いに平行となる姿勢で配置することにより、直線形の溶着管継手に接続される樹脂管をそれぞれ良好に把持できる。また屈曲形の溶着管継手の使用時には、角度調整具を中心に連結ロッドを介してクランプアームが互いに離間され、かつクランプアームの開閉方向が互いに傾斜する姿勢で配置することにより、屈曲形の溶着管継手に接続される樹脂管をそれぞれ良好に把持することができる。
【手続補正７】
【補正対象書類名】明細書
【補正対象項目名】００１１
【補正方法】変更
【補正の内容】
【００１１】
請求項４記載の発明によれば、クランプアームのクランプ部の遊端側に、樹脂管の外径の０．５倍以上で０．９５倍以下の幅の切り欠き部を形成したので、クランプアームを上方から樹脂管に外嵌した時に、クランプ部の遊端部が樹脂管の下端部まで及ぶことがなく、樹脂管とクランプアームとの間に土砂を噛み込むことなく適正に把持させることができる。したがって、開削施工部で樹脂管の下部の余掘り量を、従来に比較して大幅に削減することができ、開削作業に要する時間を短縮することができる。また吊下保持部により、クランプ装置の樹脂管への嵌合離脱動作をスムーズに行うことができる。
請求項５記載の発明によれば、クランプアームの内接面に取り付けた小径用アタッチメントにより、小口径の樹脂管を把持することができる。
【手続補正８】
【補正対象書類名】明細書
【補正対象項目名】００２７
【補正方法】変更
【補正の内容】
【００２７】
（連結部の配置）
図８（ａ）に示すように、連結部４０において、屈曲中心である角度調整具４３の垂直ピン４４が、平面視で樹脂管軸心Ｏから折り曲げられる閉鎖側に離間する方向に変位距離Ｒだけ離れて配置されており、全体的な重量バランスでは、樹脂管軸心Ｏの上方（たとえば支軸１６の軸心上）に取り付けるのが最適である。しかしながら、ソケットＳを使用する直線状の接続部において、樹脂管軸心Ｏ上でソケットＳの中心Ｓｏを通る２つの把持位置Ｐｓ，Ｐｓ間の直線状把持間隔：２Ｌｓ＝（Ｌｓ＋Ｌｓ）と、図８（ｂ）に示すように、９０°エルボＥを使用した屈曲状の接続部において、２つの樹脂管軸心Ｏ，Ｏ’上でエルボＥの中心Ｅｏを通る２つの把持位置Ｐｅ，Ｐｅ間の屈曲状把持間隔：２Ｌｅ＝（Ｌｅ＋Ｌｅ）とを比較すると、樹脂管Ｐ１，Ｐ２が嵌合深さを確保する必要性から、直線状把持間隔  ：２Ｌｓより屈曲状把持間隔：２Ｌｅが十分に長く必要となる。ここで、樹脂管軸心Ｏの上方位置に垂直ピン４４を配置した場合には、屈曲状把持間隔：２Ｌｅに対応するために連結部４０を長さ方向に伸縮させる必要があるが、連結部４０を伸縮構造にすると、連結部４０の複雑化と重量化を招くことになる。このため、本発明では、角度調整具４３の垂直ピン４４を、樹脂管軸心Ｏから変位距離Ｒだけ離間させている。これにより、垂直ピン４４を中心として把持部１０を拡開姿勢とし、９０°エルボＥを使用した屈曲状の接続部でも、屈曲状把持間隔：２Ｌｅを長く確保できるように構成している。
【手続補正９】
【補正対象書類名】明細書
【補正対象項目名】００３０
【補正方法】変更
【補正の内容】
【００３０】
（連結部の変形例）
なお、図１２に示すような連結部５０であってもよい。すなわち、樹脂管軸心Ｏの上方で、支軸１６の内端側に、平面視で支軸１６の軸心上から折り曲げられる閉鎖側に伸びるＬ形の連結ロッド（連結部材）５２を設けて、支軸１６側を取っ手（１３）として利用し、樹脂管軸心Ｏから離間する方向に折り曲げられた連結ロッド５２の内端部に角度調整具５３を設けている。これにより、平面視で樹脂管軸心Ｏから変位距離Ｒだけ離れた位置で垂直ピン５４を中心に折り曲げ固定自在に構成することができる。上記構成によれば、連結部４０と同様の作用効果を奏することができるとともに、取っ手１３を不要として部材の削減を図ることができ、吊下げ時の重量バランスを向上させることができる。
【手続補正１０】
【補正対象書類名】図面
【補正対象項目名】図１
【補正方法】変更
【補正の内容】
【図１】
2009127832.tif 000001